(57)【要約】      （修正有）【課題】確実に、利用用途に応じた印刷フォーマットに基づく印刷物を作成することができる印刷装置およびラベルプリンターを提供する。【解決手段】複数種類の印刷フォーマットを記憶するフォーマット記憶部２４と、印刷フォーマットの種別と、各種別に対応した印刷条件と、を関連付けて記憶する印刷条件記憶部２７と、複数種類の印刷フォーマットのうち、いずれかを選択するフォーマット選択部と、選択された印刷フォーマットに基づく印刷データの印刷を指示する印刷指示部と、外部から情報を取得する情報取得部１５と、印刷指示をトリガとして、印刷指示の前または後に取得した情報に基づいて、印刷対象となる印刷フォーマットに関連付けられた印刷条件を満たすか否かを判別する判別部と、判別部の判別結果により、印刷条件を満たす場合、印刷を実行する印刷部１６と、を備えた。【選択図】図１
2010173127.tif 000002
【特許請求の範囲】
【請求項１】
複数種類の印刷フォーマットを記憶するフォーマット記憶部と、
前記印刷フォーマットの種別と、各種別に対応した印刷条件と、を関連付けて記憶する印刷条件記憶部と、
前記複数種類の印刷フォーマットのうち、いずれかを選択するフォーマット選択部と、
選択された前記印刷フォーマットに基づく印刷データの印刷を指示する印刷指示部と、
外部から、情報を取得する情報取得部と、
印刷指示をトリガとして、前記印刷指示の前または後に前記情報取得部により取得した前記情報に基づいて、印刷対象となる前記印刷フォーマットに関連付けられた前記印刷条件を満たすか否かを判別する判別部と、
前記判別部の判別結果により、前記印刷条件を満たす場合、印刷を実行する印刷部と、を備えたことを特徴とする印刷装置。
【請求項２】
前記印刷条件は、印刷装置が存在する部屋の部屋情報であることを特徴とする請求項１に記載の印刷装置。
【請求項３】
前記情報取得部は、外部から音声情報を取得し、
取得した前記音声情報を認識する音声認識部をさらに備え、
前記印刷条件は、所定の音声情報であることを特徴とする請求項１または２に記載の印刷装置。
【請求項４】
個人を特定するための個人ＩＤを含む個人情報を記憶する個人情報記憶部と、
前記個人ＩＤを取得する個人ＩＤ取得部と、をさらに備え、
前記印刷データは、取得した前記個人ＩＤに関連付けられた個人情報を含むことを特徴とする請求項１ないし３のいずれか１項に記載の印刷装置。
【請求項５】
前記印刷部により印刷した印刷履歴を記憶する印刷履歴記憶部と、
前記印刷履歴を外部装置に出力する外部出力部と、を備えたことを特徴とする請求項１ないし４のいずれか１項に記載の印刷装置。
【請求項６】
日付および時刻を計測する時計部をさらに備え、
前記印刷履歴は、前記印刷フォーマットの種別、印刷日時および前記個人情報の少なくとも１つを含むことを特徴とする請求項５に記載の印刷装置。
【請求項７】
請求項１ないし６のいずれか１項に記載の印刷装置における各部を備えたことを特徴とするラベルプリンター。
【発明の詳細な説明】
【技術分野】
【０００１】
本発明は、印刷データに基づいて印刷媒体に印刷を行う印刷装置およびラベルプリンターに関するものである。
【背景技術】
【０００２】
従来から、ロール状の台紙に貼付されたラベルに所定事項を印刷するラベルプリンターが知られている。この種のラベルプリンターでは、使用するラベルサイズやラベルの利用用途（利用目的）、あるいは使用者の業種に応じた複数の印刷フォーマット（印字フォーマット）が用意されており、使用者は、これらの印刷フォーマットを適宜選択することで、所望のラベルを作成する（例えば、特許文献１参照）。
【先行技術文献】
【特許文献】
【０００３】
【特許文献１】特開平９−２４６５４号公報
【発明の概要】
【発明が解決しようとする課題】
【０００４】
ところで、上記のラベルプリンターでは、使用者が自由に印刷フォーマットを選択することができるため、誤って、業務で使用する印刷フォーマットとは異なるフォーマット（利用用途が異なる印刷フォーマット）を選択し、ラベルを印刷することが考えられ、結果的に、誤った内容のラベルを作成するという問題がある。
特に、病院で各検査のために血液、尿、病理検体等を収容する検査容器に貼付するラベルを作成する場合、検査内容（検査種別）と個人情報（患者情報）とを関連付けたラベルを作成するため、対象となる検査の印刷フォーマットとは異なるフォーマットのラベルを作成・貼付することは検査内容の取り違えを意味し、結果として、患者に重大な被害を及ぼす虞がある。
【０００５】
本発明は、上記の問題に鑑みたものであり、確実に、利用用途に応じた印刷フォーマットに基づく印刷物を作成することができる印刷装置およびラベルプリンターを提供することを目的とする。
【課題を解決するための手段】
【０００６】
本発明の印刷装置は、複数種類の印刷フォーマットを記憶するフォーマット記憶部と、印刷フォーマットの種別と、各種別に対応した印刷条件と、を関連付けて記憶する印刷条件記憶部と、複数種類の印刷フォーマットのうち、いずれかを選択するフォーマット選択部と、選択された印刷フォーマットに基づく印刷データの印刷を指示する印刷指示部と、外部から、情報を取得する情報取得部と、印刷指示をトリガとして、印刷指示の前または後に情報取得部により取得した情報に基づいて、印刷対象となる印刷フォーマットに関連付けられた印刷条件を満たすか否かを判別する判別部と、判別部の判別結果により、印刷条件を満たす場合、印刷を実行する印刷部と、を備えたことを特徴とする。
【０００７】
この構成によれば、印刷対象となる印刷フォーマットに関連付けられた印刷条件を満たした（取得した）場合にのみ、印刷物の印刷を実行する。これにより、誤った印刷フォーマットの印刷物、つまり誤った内容の印刷物の作成を防止し、確実に、利用用途に応じた印刷フォーマットに基づく印刷物を作成することができる。
【０００８】
本発明の印刷装置において、印刷条件は、印刷装置が存在する部屋の部屋情報であることが好ましい。
【０００９】
この構成によれば、印刷条件を部屋情報とすることで、印刷フォーマットの種別に対応した部屋でのみ、当該印刷フォーマットの印刷物を作成することができる。つまり、別の部屋では、そのフォーマットで印刷を行うことができないため、誤った印刷フォーマットを用いた印刷物の作成を防止することができる。
例えば、病院で血液検査用のラベル（印刷物）を作成する場合、血液検査用の印刷フォーマットにのみ血液検査室情報を対応付けることで、血液検査室でこれ以外の印刷フォーマットを誤って選択しても印刷を行うことができない。つまり、血液検査室では、血液検査用の印刷フォーマット以外は利用することができないため、誤った内容のラベルの作成を防止することができる。
【００１０】
本発明の印刷装置において、情報取得部は、外部から音声情報を取得し、取得した音声情報を認識する音声認識部をさらに備え、印刷条件は、所定の音声情報であることが好ましい。
【００１１】
この構成によれば、印刷条件を所定の音声情報とすることで、印刷フォーマットの種別に対応した音声情報を認識した場合にのみ、当該印刷フォーマットの印刷物を作成することができる。例えば、音声情報を業務種別（業務内容）を判別できる言葉（その業務で必ず使用される言葉）とすることで、ある業務で、当該業務で使用する印刷フォーマット以外のフォーマットを選択していた場合、印刷物を作成することができない。これにより、誤った印刷フォーマットの印刷物の作成を防止することができる。
【００１２】
本発明の印刷装置において、個人を特定するための個人ＩＤを含む個人情報を記憶する個人情報記憶部と、個人ＩＤを取得する個人ＩＤ取得部と、をさらに備え、印刷データは、取得した個人ＩＤに関連付けられた個人情報を含むことが好ましい。
【００１３】
この構成によれば、個人情報の入力ミスや誤記を防止することができる。なお、個人情報としては、印刷物の作成者や、印刷物により識別される人の情報が考えられる。
【００１４】
本発明の印刷装置において、印刷部により印刷した印刷履歴を記憶する印刷履歴記憶部と、印刷履歴を外部装置に出力する外部出力部と、を備えたことが好ましい。
【００１５】
この構成によれば、印刷履歴を記憶し、これを外部装置（例えば、パーソナルコンピューターやメモリーカード等）に出力することができるため、印刷履歴の管理の利便性が良い。
【００１６】
本発明の印刷装置において、日付および時刻を計測する時計部をさらに備え、印刷履歴は、印刷フォーマットの種別、印刷日時および個人情報の少なくとも１つを含むことが好ましい。
【００１７】
この構成によれば、いつ（印刷日時）、誰が（作成者の個人情報）、誰についての（印刷物により識別される人の個人情報）、どのような内容（印刷フォーマットの種別）の印刷を行ったのかを履歴管理できるため、利便性が良い。
【００１８】
本発明のラベルプリンターは、上記に記載の印刷装置における各部を備えたことを特徴とする。
【００１９】
この構成によれば、印刷対象となる印刷フォーマットに関連付けられた印刷条件を満たした（取得した）場合にのみ、ラベルの印刷を実行することができるラベルプリンターを提供することができる。
【図面の簡単な説明】
【００２０】
【図１】第１実施形態のラベルプリンターの制御ブロック図である。
【図２】第１実施形態の印刷フォーマットの種別と、印刷条件との関連付けを説明する図である。
【図３】印刷履歴の内容を説明する図である。
【図４】第１実施形態のラベルプリンターの機能ブロック図である。
【図５】第１実施形態のラベルプリンターによる検査用ラベルの印刷手順について説明するフローチャートである。
【図６】第２実施形態のラベルプリンターの制御ブロック図である。
【図７】第２実施形態の印刷フォーマットの種別と、印刷条件との関連付けを説明する図である。
【図８】第２実施形態のラベルプリンターの機能ブロック図である。
【図９】第２実施形態のラベルプリンターによる検査用ラベルの印刷手順について説明するフローチャートである。
【発明を実施するための形態】
【００２１】
以下、本発明の一実施形態について、添付図面を参照しながら詳細に説明する。本実施形態では、印刷装置をロール状の台紙に貼付されたラベルに所定事項を印刷するラベルプリンターとし、このラベルプリンターを用いて、病院で検査用ラベルを作成する場合を例に挙げて説明する。
【００２２】
［第１実施形態］
図１は、本発明の第１実施形態に係るラベルプリンター１（印刷装置）の構成を示す制御ブロック図である。図１に示すようにラベルプリンター１は、制御部１１、記憶部１２、表示部１３、時計部１４、リーダー部１５（情報取得部）、印刷部１６、入力機器インターフェイス１７（個人ＩＤ取得部）、メモリースロット１８（外部出力部）およびネットワークインターフェイス１９（外部出力部）を備えている。
【００２３】
制御部１１は、ＣＰＵ２１（Central Processing Unit）、ＲＯＭ２２（Read Only Memory）、ＲＡＭ２３（Random Access Memory）を有し、ラベルプリンター１全体を制御する。ＲＯＭ２２は、ＣＰＵ２１が各種処理を実行するための制御プログラムや制御データを記憶する。また、ＲＡＭ２３は、ＣＰＵ２１が各種処理を実行する際の作業領域として利用される。
【００２４】
記憶部１２は、印刷フォーマット記憶領域２４（フォーマット記憶部）、個人情報記憶領域２５（個人情報記憶部）、部屋情報記憶領域２６、印刷条件記憶領域２７（印刷条件記憶部）および印刷履歴記憶領域２８（印刷履歴記憶部）を有している。
【００２５】
印刷フォーマット記憶領域２４には、各検査に対応する検査用ラベルの印刷フォーマット、当該印刷フォーマットの種別を一意に特定するための印刷フォーマットＩＤ、および当該印刷フォーマットの種別に対応する検査内容（例えば、血液検査用の印刷フォーマットであれば「血液検査」等の利用用途）が関連付けて記憶されている。
【００２６】
個人情報記憶領域２５には、個人情報として看護師情報および患者情報が記憶されている。看護師情報には、看護師の氏名と、各看護師を特定するために一意に割り当てられた看護師ＩＤ（個人ＩＤ）と、が関連付けられている。一方、患者情報には、患者の氏名と、各患者を特定するために一意に割り当てられた患者ＩＤ（個人ＩＤ）と、が関連付けられている。
【００２７】
部屋情報記憶領域２６には、部屋情報として、各検査室の名称（例えば、血液検査室や尿検査室等）と、各検査室を一意に特定するための部屋ＩＤと、が関連付けられている。
【００２８】
印刷条件記憶領域２７には、各検査用ラベルの印刷を行う際の印刷条件が記憶されており、図２に示すように、各印刷フォーマット（印刷フォーマットＩＤ）と、当該印刷フォーマットの検査用ラベルの印刷が可能な部屋情報（部屋ＩＤ）と、が関連付けられている。
【００２９】
印刷履歴記憶領域２８には、検査用ラベルの印刷履歴が記憶されている。図３に示すように、この印刷履歴としては、印刷日時、看護師名（検査用ラベル作成者）、患者名（検査対象者）および検査内容が記憶されている。このように、いつ（印刷日時）、誰が（看護師名）、誰についての（患者名）、どのような内容（検査内容）の印刷を行ったのかを履歴管理できるため、利便性が良い。
【００３０】
表示部１３は、タッチパネルで形成されており、入力指示（例えば、印刷フォーマットの選択指示や印刷指示等）を行うための操作手段、および入力結果を表示するための表示手段として機能する。
【００３１】
時計部１４は、ラベルプリンター１に内蔵されたＲＴＣ（Real Time Clock）であり、日時をカウントする。ここでは、検査用ラベルの印刷日時を取得するために用いられる。
【００３２】
リーダー部１５は、病院内の各検査室に備え付けられたＩＣタグＴから、各検査室を一意に特定する部屋ＩＤを読み取るものである。印刷部１６は、検査用ラベルを印刷する印刷手段として機能する。
【００３３】
入力機器インターフェイス１７は、看護師や患者が携帯するＩＤカードやリストバンド等（いずれも図示省略）のバーコードを読み取るバーコードリーダー３１を接続するためのものであり、ＣＰＵ２１は、バーコードリーダー３１によるバーコードの読み取りによって、看護師ＩＤや患者ＩＤを取得する。このように、バーコードリーダー３１を用いて看護師ＩＤや患者ＩＤを取得することで、個人情報（看護師名や患者名）の入力ミスや誤記を防止することができる。
【００３４】
メモリースロット１８は、メモリーカード３２（スマートメディアやメモリースティック等）を着脱するためのインターフェイスである。また、ネットワークインターフェイス１９は、パーソナルコンピューター３３と接続するものである。ＣＰＵ２１は、これらインターフェイスを介して、メモリーカード３２やパーソナルコンピューター３３に印刷履歴を出力する。このように、印刷履歴をメモリーカード３２やパーソナルコンピューター３３等の外部装置に出力することができるため、印刷履歴の管理の利便性が良い。
【００３５】
次に、図４の機能ブロック図を参照して、ラベルプリンター１の機能構成について説明する。図４に示すように、ラベルプリンター１は、フォーマット選択手段４１（フォーマット選択部）、個人情報取得手段４２、部屋情報取得手段４３、印刷指示手段４４（印刷指示部）、判別手段４５（判別部）、印刷手段４６、報知手段４７、印刷日時取得手段４８および印刷履歴記憶手段４９を有している。
【００３６】
フォーマット選択手段４１は、看護師により検査用の印刷フォーマットを選択するためのものである。個人情報取得手段４２は、看護師情報（看護師ＩＤ）や患者情報（患者ＩＤ）を取得する。部屋情報取得手段４３は、ラベルプリンター１が存在する部屋の部屋情報（部屋ＩＤ）を取得する。印刷指示手段４４は、選択した印刷フォーマットに基づき、取得した看護師ＩＤに対応する看護師名、および患者ＩＤに対応する患者名をラベルに印刷するための指示を行う。
【００３７】
判別手段４５は、選択された印刷フォーマットに関連付けられた印刷条件を満たすか否かを判別する。つまり、印刷対象となる印刷フォーマットに関連付けられた部屋情報が取得できたか否かを判別する。印刷手段４６は、判別手段４５により印刷条件を満たしていると判別した場合に、検査用ラベルを印刷する。一方、報知手段４７は、判別手段４５により印刷条件を満たしていないと判別した場合、その旨を報知する。印刷日時取得手段４８は、時計部１４から日時情報を取得する。印刷履歴記憶手段４９は、検査用ラベルの印刷履歴（印刷日時、看護師名、患者名、検査内容）を記憶する。
【００３８】
ここで、図５のフローチャートを参照し、第１実施形態のラベルプリンター１により検査用ラベルを印刷する手順について説明する。まず、ラベルプリンター１は、看護師により指定された検査用の印刷フォーマットを選択する（Ｓ０１）。続いて、ラベルプリンター１は、バーコードリーダー３１による看護師や患者が携帯するＩＤカードやリストバンドの読み取りによって、看護師ＩＤおよび患者ＩＤを取得する（Ｓ０２，Ｓ０３）。そして、ラベルプリンター１は、看護師による印刷指示操作により、選択した印刷フォーマットに基づき、患者ＩＤに対応する患者名および看護師ＩＤに対応する看護師名の印刷指示を行う（Ｓ０４）。
【００３９】
この時、ラベルプリンター１は、リーダー部１５により、自身が存在する検査室の部屋ＩＤを取得する（Ｓ０５）。そして、ラベルプリンター１は、選択した印刷フォーマットに関連付けられた部屋ＩＤと、取得した部屋ＩＤとが一致するか否かを判別する（Ｓ０６）。つまり、選択した印刷フォーマットに関連付けられた印刷条件が満たされるか否かを判別する。
【００４０】
ここで、部屋ＩＤが一致する場合、つまり印刷条件を満たしている場合（Ｓ０７；Ｙｅｓ）、ラベルプリンター１は、当該印刷フォーマットに基づく検査用ラベルを印刷する（Ｓ０８）。一方、部屋ＩＤが一致しない場合、つまり印刷条件を満たしていない場合（Ｓ０７；Ｎｏ）、ラベルプリンター１は、選択された印刷フォーマットが他の検査用の印刷フォーマットである旨、つまり検査内容とは異なった印刷フォーマットが選択されている旨を通知する（Ｓ０９）。
【００４１】
このように、第１実施形態によれば、印刷対象となる印刷フォーマットに関連付けられた部屋情報（部屋ＩＤ）を取得した場合にのみ（印刷条件を満たした場合にのみ）、検査用ラベルの印刷を実行する。つまり、印刷条件を部屋情報（部屋ＩＤ）とすることで、印刷フォーマットの種別に対応した部屋でのみ、当該印刷フォーマットの検査用ラベルを作成することができる。これにより、別の部屋では、そのフォーマットで印刷を行うことができないため、誤った印刷フォーマットを用いた検査用ラベルの作成を防止することができる。
【００４２】
［第２実施形態］
次に、図６ないし図９を参照し、本発明の第２実施形態のラベルプリンター１００について説明する。第２実施形態のラベルプリンター１００は、印刷条件として、部屋情報に代えて音声情報を用いる点で、第１実施形態のラベルプリンター１とは異なる。以下、異なる点を中心に説明する。
【００４３】
図６は、第２実施形態のラベルプリンター１００の制御ブロック図である。基本的な構成は第１実施形態のラベルプリンター１と同一であるが、リーダー部１５（図１参照）に代えて音声入力部１０１（情報取得部）および音声認識部１０２を備え、また、部屋情報記憶領域２６（図１参照）に代えて音声辞書記憶領域１０３を備えている。
【００４４】
音声辞書記憶領域１０３は、検査内容を判別できる音声（その検査で必ず使用される言葉）と、当該音声を特定するための音声ＩＤとを関連付けた音声辞書を記憶している。例えば、「血液検査」、「血液を採取します」、あるいは「血液採取が終わりました」等の血液検査で使用される音声（言葉）には、血液検査を示す音声ＩＤ（血液検査用ＩＤ）が関連付けられ、「尿検査」、「尿を採取します」、あるいは「尿の採取が終わりました」等の尿検査で使用される音声には、尿検査を示す音声ＩＤ（尿検査用ＩＤ）が関連付けられている。
【００４５】
印刷条件記憶部２７には、各検査用ラベルの印刷を行う際の印刷条件が記憶されており、図７に示すように、各印刷フォーマット（印刷フォーマットＩＤ）と、当該印刷フォーマットのラベルの印刷条件となる音声情報（音声ＩＤ）と、が関連付けられている。
【００４６】
音声入力部１０１は、音声情報を入力するものである。また、音声認識部１０２は、入力された音声情報を認識し（識別し）、上記の音声辞書に基づいて音声ＩＤを抽出する。
【００４７】
次に、図８の機能ブロック図を参照して、ラベルプリンター１００の機能構成について説明する。図８に示すように、ラベルプリンター１００は、フォーマット選択手段４１、個人情報取得手段４２、音声情報取得手段１１１、音声認識手段１１２、印刷指示手段４４、判別手段４５、印刷手段４６、報知手段４７、印刷日時取得手段４８および印刷履歴記憶手段４９を有している。
【００４８】
フォーマット選択手段４１、個人情報取得手段４２、印刷指示手段４４、印刷手段４６、報知手段４７、印刷日時取得手段４８および印刷履歴記憶手段４９については、第１実施形態と同様であるため、説明を省略する。
【００４９】
音声情報取得手段１１１は、音声入力部１０１から入力された音声情報を取得する。音声認識手段１１２は、取得した音声情報を認識し、当該音声情報に関連付けられた音声ＩＤを取得（抽出）する。判別手段４５は、選択された印刷フォーマットに関連付けられた印刷条件を満たすか否かを判別する。つまり、印刷対象となる印刷フォーマットに関連付けられた音声情報（音声ＩＤ）が取得できたか否かを判別する。
【００５０】
ここで、図９のフローチャートを参照し、第２実施形態のラベルプリンター１００により検査用ラベルを印刷する手順について説明する。まず、ラベルプリンター１００は、看護師により指定された検査用の印刷フォーマットを選択する（Ｓ１１）。続いて、ラベルプリンター１００は、バーコードリーダー３１による看護師や患者が携帯するＩＤカードやリストバンドの読み取りによって、看護師ＩＤおよび患者ＩＤを取得する（Ｓ１２，Ｓ１３）。そして、ラベルプリンター１００は、看護師による印刷指示操作により、選択した印刷フォーマットに基づき、患者ＩＤに対応する患者名および看護師ＩＤに対応する看護師名の印刷指示を行う（Ｓ１４）。
【００５１】
この時、ラベルプリンター１は、音声入力部１０１により、音声情報を取得する（Ｓ１５）。そして、取得した音声情報を音声認識部１０２により認識し、当該認識した音声に対応する音声ＩＤを取得（抽出）する（Ｓ１６）。そして、ラベルプリンター１００は、選択した印刷フォーマットに関連付けられた音声ＩＤと、取得した音声ＩＤとが一致するか否かを判別する（Ｓ１７）。つまり、選択した印刷フォーマットに関連付けられた印刷条件が満たされるか否かを判別する。
【００５２】
ここで、音声ＩＤが一致する場合、つまり印刷条件を満たしている場合（Ｓ１８；Ｙｅｓ）、ラベルプリンター１００は、当該印刷フォーマットに基づく検査用ラベルを印刷する（Ｓ１９）。一方、音声ＩＤが一致しない場合、つまり印刷条件を満たしていない場合（Ｓ１８；Ｎｏ）、ラベルプリンター１００は、選択された印刷フォーマットが他の検査用の印刷フォーマットである旨、つまり検査内容とは異なった印刷フォーマットが選択されている旨を通知する（Ｓ２０）。
【００５３】
このように、第２実施形態によれば、印刷対象となる印刷フォーマットに関連付けられた音声情報（音声ＩＤ）を取得した場合にのみ（印刷条件を満たした場合にのみ）、検査用ラベルの印刷を実行する。つまり、印刷条件を所定の音声情報とすることで、印刷フォーマットの種別に対応した音声情報を認識した場合にのみ、当該印刷フォーマットの検査用ラベルを作成することができる。これにより、ある検査で、当該検査で使用する印刷フォーマット以外のフォーマットを選択していた場合には検査用ラベルを作成することができないため、誤った印刷フォーマットの検査用ラベルの作成を防止することができる。
【００５４】
以上のように第１実施形態および第２実施形態によれば、印刷対象となる印刷フォーマットに関連付けられた印刷条件を満たした（取得した）場合にのみ、検査用ラベルの印刷を実行する。これにより、誤った印刷フォーマットの検査用ラベル、つまり誤った内容の検査用ラベルの作成を防止し、確実に、利用用途に応じた（検査内容に応じた）印刷フォーマットに基づく検査用ラベルを作成することができる。
【００５５】
なお、印刷条件として、部屋情報および音声情報の両方を印刷条件として設定しても良い。これにより、さらに確実に、その検査に対応する印刷フォーマット（利用用途に応じた印刷フォーマット）に基づく検査用ラベルを作成することができる。
【００５６】
また、本実施形態（第１実施形態および第２実施形態）では、部屋情報や音声情報を印刷条件として設定しているが、これに限るものではない。例えば、印刷条件として看護師情報を設定し、所定の看護師以外は、所定の検査用ラベルを作成できないようにしても良い。
【００５７】
また、本実施形態では、ラベルプリンター１（１００）の記憶部１２に、各種情報（印刷フォーマット、個人情報、部屋情報、音声辞書、印刷条件および印刷履歴）を記憶するようにしているがこれに限るものではない。例えば、メモリーカード３２にこれら情報の少なくとも一部を記憶しておき、これをラベルプリンター１（１００）に装着しておくことで、検査用ラベル印刷時に、当該メモリーカード３２から必要な情報を読み取るようにしても良い。これにより、ラベルプリンター１（１００）の記憶部１２の容量が小さい場合にも対応することができる。
【００５８】
また、本実施形態では、印刷指示後に印刷条件となる情報を取得するようにしているが、これに限るものではなく、印刷指示前に印刷条件を取得するようにしても良い。
【００５９】
また、上述した実施例によらず、ラベルプリンター１（１００）の装置構成や処理工程等について、本発明の要旨を逸脱しない範囲で、適宜変更も可能である。
【符号の説明】
【００６０】
１…ラベルプリンター  １４…時計部  １５…リーダー部  １６…印刷部  １７…入力機器インターフェイス  １８…メモリースロット  １９…ネットワークインターフェイス  ２４…印刷フォーマット記憶領域  ２５…個人情報記憶領域  ２７…印刷条件記憶領域  ２８…印刷履歴記憶領域  ３２…メモリーカード  ３３…パーソナルコンピューター  ４１…フォーマット選択手段  ４４…印刷指示手段  ４５…判別手段  １０１…音声入力部  １０２…音声認識部
【図１】
2010173127.tif 000003
【図２】
2010173127.tif 000004
【図３】
2010173127.tif 000005
【図４】
2010173127.tif 000006
【図５】
2010173127.tif 000007
【図６】
2010173127.tif 000008
【図７】
2010173127.tif 000009
【図８】
2010173127.tif 000010
【図９】
2010173127.tif 000011